(57)【要約】【課題】  エレベーターのかご内にて暴漢に襲われた時、エレベーターを緊急停止、開扉、なおかつ、犯行を素早く外部に告知し、暴漢を逃げ口からできるだけ遠ざけることで逃亡時間を要することを意識させ、犯行時間を短くすることで被害を最小限にくい止めることができうるエレベーターの緊急時セキュリティ装置を提供すること。【解決手段】  暴漢に襲われた事態を音波センサー４、振動センサー６等、及び、光電スイッチ、タッチスイッチ等によって感知連動され、暴漢に襲われた当階、又は、最寄り階に自動停止し、かご扉２、及び、乗り場扉３が開扉され、操作電源が遮断されるようにエレベーター運行プログラムを組み込んだ装置をエレベーターのかご１に設置したものである。【選択図】図２
2005067777.tif 000002
【特許請求の範囲】
【請求項１】
エレベーターのかごに取り付けられた音波センサー、振動センサー等、及び、光電スイッチ、タッチスイッチ等が感知作動することで、前記センサー、及び、前記スイッチに連動された前記かごが当階、又は、最寄り階に自動停止し、かご扉、及び、乗り場扉が開扉され、操作電源が遮断されるように構成したことを特徴とするエレベーターの緊急時セキュリティ装置。
【請求項２】
エレベーターのかご内に設置した緊急用スイッチボックスの差し込み口に手先を差し込み光電スイッチ等を作動することで、前記スイッチに連動された前記かごが当階、又は、最寄り階に自動停止し、かご扉、乗り場扉が開扉され、操作電源が遮断されるように構成したことを特徴とするエレベーターの緊急時セキュリティ装置。
【請求項３】
上記緊急時セキュリティ装置と、上記エレベーターのかごに設置した人感センサー付きカメラと録画装置、及び、緊急を告知する点滅照明、アナウンスやベル音発生装置等からなるセキュリティ告知装置とを組み合わせたことを特徴とする請求項１、請求項２に記載のエレベーターの緊急時セキュリティ装置。
【請求項４】
エレベーターのかご内に設置した緊急用スイッチボックスを額縁風として、前記額縁風内の絵画等をタッチ、又は、押したりすることで緊急時セキュリティ装置が作動するようにしたことを特徴とする請求項２に記載のエレベーターの緊急時セキュリティ装置。
【発明の詳細な説明】
【技術分野】
【０００１】
本発明は、かご内に於ける緊急時、例えば、暴漢に襲われたような事態をエレベーターのかごに取り付けられた音波センサー、振動センサー等、及び、光電スイッチ、タッチスイッチ等により感知、作動させることで、いち早くエレベーターのかごを当階、又は、最寄り階に自動停止させ、外部に告知することで犯行時間を短く最小限の被害にくい止めることができうる新規なエレベーターの緊急時セキュリティ装置の技術分野に属するものである。
【背景技術】
【０００２】
エレベーターのかご内には非常ベルとインターホンの設置が義務づけられている。
【０００３】
しかし、上記非常ベルやインターホンは、エレベーターの故障でかご内に閉じこめられた時など、故障を外部に告知することを目的としているのみであり、暴漢に襲われボタンを押せない状況下では全く役に立たない。そして、エレベーターの永遠のテーマといわれる特定できないイタズラによる被害である。その例として、以前設置義務のあった非常停止スイッチが即使用可能の場所から外されている。
【特許文献１】特になし。
【非特許文献１】特になし。
【発明の開示】
【発明が解決しようとする課題】
【０００４】
本発明は、上記の問題を解決するものであって、エレベーターのかご内にて暴漢に襲われた時、犯人によって缶詰状態に監禁されないようにエレベーターを緊急停止、開扉、なおかつ、犯行を素早く外部に告知し、暴漢を逃げ口（外部道路につながっている階、一般的には１階）からできるだけ遠ざけることで逃亡時間を要することを意識させ、犯行時間を短くすることで被害を最小限にくい止めることができうるエレベーターの緊急時セキュリティ装置を提供することを目的としている。
【課題を解決するための手段】
【０００５】
上記の目的を達成するための本発明のエレベーターの緊急時セキュリティ装置は、暴漢に襲われた事態を音波センサー、振動センサー等、及び、光電スイッチ、タッチスイッチ等の感知、作動で、これらに連動されたエレベーター運行プログラムにより、暴漢に襲われた階、又は、最寄り階に自動停止し、かご扉、及び、乗り場扉が開扉され、操作電源が遮断する装置をエレベーターのかごに設置したものである。
【０００６】
上記のように構成された本発明のエレベーターの緊急時セキュリティ装置は、暴漢に襲われた時、悲鳴やかごの側面を叩いたり、蹴ったりした音や振動等をセンサーで感知、又、自主的判断によるスイッチＯＮで緊急時セキュリティ装置が作動し、犯人をひるませ、できるだけ犯行時間を短くすることで最小の被害に止めることができる。
【発明の効果】
【０００７】
以上のように構成されたエレベーターの緊急時セキュリティ装置は、次のような効果を奏する。
【０００８】
請求項１は、特に集合住宅に於いては居住者と外来者との見分けは難しく、エレベーター内で起きた犯罪に対してなすすべがなかったが、この緊急時セキュリティ装置が設置されていることを居住者に認識させておくことで、本発明のエレベーターの緊急時セキュリティ装置は抑止効果もさることながら、例え犯行が生じても人身被害を最小にくい止めることができる。又、このことにより被害者を担いで階段を下り、引きづりながら自動車などにて拉致することも容易にはできない。又、犯人の逃げ口を最も遠ざけることのみに於いては、かごをノンストップで最上階に停止させることも考えられる。
【０００９】
請求項２は、緊急用スイッチボックスの光電スイッチの取付位置を差し込み口より上内部とし、手を内側に曲げ、指先にて光線を遮断しスイッチＯＮとなる位置とすることで、外来者、及び、犯人に容易に知られない位置であり、足先、清掃具、小物品などが入り込む無意識から起こることやイタズラ等による目的外の誤動作を防ぐことの為である。また、前記緊急用スイッチボックス本体をかご床面近く設置することで、犯行による緊急時のみならず、年輩者や子供等体調が悪く倒れ込んだ状態にても緊急事態を外部に告知できる。
【００１０】
請求項３は、人感センサー等でカメラ撮影、そして、ハードディスク等の録画装置にて録画されていることで抑止効果が発生、更に、請求項１の機能を効率よく効果を上げるため点滅照明や大音量ベル音、又、“警察へ連絡中”や“只今録画中”のアナウンスなどで外部に告知することで犯行をできるだけ早く止めさせることができる。そして、この録画装置で録画された画像は１，２ヶ月保留するのみで事件がなき場合はモニターすることもなく、居住者が最も問題視するプライバシーの侵害問題は生じない。又、多発しているエレベーターに対するイタズラ者を画像にて特定できることでイタズラは激減する利点も生じる。
【００１１】
請求項４は、いかにも鑑賞用絵画がはめ込まれた額縁内の絵画を何気なくタッチしたり、押したりすることでスイッチＯＮになるようにした緊急用スイッチボックスである。このことも、外来者、及び、犯人に容易に知られないことを目的としている。又、絵画の代わりに案内、広告、お知らせ掲示板の使用もできる。
【発明を実施するための最良の形態】
【００１２】
本発明は、エレベーターのかごに取り付けられたセンサー、スイッチ等に連動されたエレベーター運行プログラムの技術設定による緊急処置とセキュリティ告知装置との組合せによるエレベーターの緊急時セキュリティ装置である。前記緊急時セキュリティ装置の解除、復旧作業は前記かご内の錠付スイッチボックスのスイッチで、又、携帯電話等から暗号コードによって行うこともセキュリティ装置の一連の作業構成となる。
【実施例】
【００１３】
図１，図２、図３は本発明の第１実施例の図であって、エレベーターのかご１内に音波センサー４、かご扉を除く３側面のパネル５の裏面にそれぞれ振動センサー６等を設ける。機器を繋ぐ配線は主にかご裏とする。
【００１４】
上記により、例えば、人の悲鳴（比較的高い周波数）等の音声は音波センサー４で感知し、厚み１．６ミリメートル程の鋼板からなる上記パネル５を叩いたり、蹴ったりすることで発生する大太鼓に似た大きな音（比較的低い周波数）等は振動センサー６で感知することで、前記センサーに連動されたエレベーター運行プログラムにより、上記かご１が当階、又は、最寄り階に自動停止し、かご扉２、乗り場扉３が開扉され、操作電源が遮断されるようにした緊急時セキュリティ装置となる。なお、これらのエレベーター運行プログラムは完成されており、例えば、外部要因による停電のような場合、エレベーターのかごは指定階に停止し、かご扉、乗り場扉が開扉され乗員が閉じこめられないように設定してある。
【００１５】
また、かご１内上部側面に設置されているケース７内に告知用点滅ライト８、スピーカー含むアナウンス装置９、大音量ベル１０がコンパクトに収納してあり、上記セキュリティ装置と組み合わせることでより一層の効果を生むことになる。更に、前記ケース７内に組み込まれた人感センサー１１付カメラ１２とかご上１３に設けられたハードディスク録画装置１４等により、より一層抑止効果も上がり完全な緊急時セキュリティ装置となりうる。
【００１６】
図４は本発明の第２実施例の図であって、エレベーターのかご１のかご扉を除く３側面のパネル５の内側に、図４−２に示すように、手先１６をスイッチボックスの差し込み口１７に差し込み光線を遮断して光電スイッチ１８が作動するようにした緊急用スイッチボックス１５Ａを設置、光電スイッチに連動されたエレベーター運行プログラムによりエレベーターのかご１が当階、又は、最寄り階に自動停止し、かご扉２乗り場扉３が開扉され、操作電源が遮断される緊急時セキュリティ装置となる。（図３−作動仕様図）
【００１７】
また、図４−３に示すように光電スイッチ１８の取付位置は緊急用スイッチボックス１５Ａの差し込み口１７より上内部とし、手を内側に曲げ、指先にて光線を遮断しスイッチＯＮとなる位置とする。このことは、外来者に容易に知られない位置、足先や小物品などが入り込む無意識動作やイタズラ等による目的外の誤動作を防ぐことの為である。なお、光電スイッチ１８と同等の性能を有するスイッチなら他種スイッチても可能。更に、指紋、血管等によるＩＴ個人確認装置の組み込みもできる。
【００１８】
上記光電スイッチ１８で作動するようにした緊急用スイッチボックス１５Ａを、新設エレベーターには埋め込み型が最良。更に、かご内手すり付エレベーターの手すりに取り付けることもでき、前記光電スイッチ１８で作動するようにした緊急用スイッチボックス１５Ａのボックス本体を手すりとして利用できる形状にすることもできる。
【００１９】
図５は本発明の第３実施例の図であって、エレベーターのかご１のかご扉を除く３側面のパネル５の内側に、図５−２に示すイラストシール付タッチスイッチ１９を直接貼り付けたり、いかにも鑑賞用絵画がはめ込まれた額縁内の絵画２０を押すことで押しスイッチ２１がＯＮになるようにした緊急用スイッチボックス１５Ｂである。このことも、外来者に容易に知られないことを目的としていることと、絵画２０の代わりに案内、広告、お知らせ掲示板にも使用できる。
【産業上の利用可能性】
【００２０】
行政指導の下、設置を義務づけるべきエレベーターの緊急時セキュリティ装置である。
【図面の簡単な説明】
【００２１】
【図１】本発明を適用したエレベーターの緊急時セキュリティ装置を設置したエレベーターと建造物の関連を説明する背景図である。
【図２】本発明を適用したエレベーターの緊急時セキュリティ装置を設置したエレベーターのかごとその周辺を説明する一部断面側面図（図２−１）と告知装置を説明する拡大斜視図（図２−２）である。
【図３】本発明を適用したエレベーターの緊急時セキュリティ装置の作動仕様を説明する図である。
【図４】本発明を適用したエレベーターの緊急時セキュリティ装置のかご内部を説明する正面斜視図（図４−１）、第２実施例の緊急用スイッチボックス使用状況を説明する斜視図（図４−２）と断面図（図４−３）である。
【図５】本発明を適用したエレベーターの緊急時セキュリティ装置のかご内部を説明する正面斜視図（図５−１）、第３実施例の緊急用スイッチに使用するイラストシール付タッチスイッチ説明する斜視図（図５−２）と第２実施例の緊急用スイッチボックスの断面図（図５−３）である。
【符号の説明】
【００２２】
１    かご
２    かご扉
３    乗り場扉
４    音波センサー
５    ３側面のパネル
６    振動センサー
７    ケース
８    点滅ライト
９    スピーカー含むアナウンス装置
１０    大音量ベル
１１    人感センサー
１２    カメラ
１３    かご上
１４    録画装置
１５Ａ  緊急用スイッチボックス
１５Ｂ  緊急用スイッチボックス
１６    手先
１７    差し込み口
１８    光電スイッチ
１９    イラストシール付タッチスイッチ
２０    絵画
２１    押しスイッチ
【図１】
2005067777.tif 000003
【図２】
2005067777.tif 000004
【図３】
2005067777.tif 000005
【図４】
2005067777.tif 000006
【図５】
2005067777.tif 000007